(57)【要約】【課題】釣り人が足に痛みを感じにくいウェーダーの提供。【解決手段】ウェーダーは、ソックス１８を備えている。ソックス１８は、アウトサイド生地２８ｏ、インサイド生地２８ｉ、トウサイド補強テープ３４ｔ及びヒールサイド補強テープ３４ｈを有している。トウサイドにおいて、アウトサイド生地２８ｏの端面は、インサイド生地２８ｉの端面と突き合わされている。突き合わせにより、トウサイド突き合わせ部３０ｔが形成されている。ヒールサイドにおいても、アウトサイド生地２８ｏの端面は、インサイド生地２８ｉの端面と突き合わされている。突き合わせにより、ヒールサイド突き合わせ部３０ｈが形成されている。トウサイド補強テープ３４ｔは、トウサイド突き合わせ部ｔを跨いでいる。ヒールサイド補強テープ３４ｈは、ヒールサイド突き合わせ部３０ｈを跨いでいる。それぞれの補強テープ３４の基材は、ポリウレタンである。【選択図】図４
2011087546.tif 000002
【特許請求の範囲】
【請求項１】
ソックスを備えており、
上記ソックスが、発泡シートを含む複数の生地と、ポリウレタンからなる補強テープとを有しており、
発泡シートの端面が他の発泡シートの端面と突き合わされることで突き合わせ部が形成されており、
上記突き合わせ部において、接着剤により、発泡シート同士が接合されており、
上記補強テープが、突き合わせ部を跨いで発泡シートに積層されている釣り用フットウエア。
【請求項２】
上記ソックスが、親指部と、四指部と、親指部と四指部との間に位置する股割部とを備えており、
この股割部に上記突き合わせ部が存在する請求項１に記載のフットウエア。
【発明の詳細な説明】
【技術分野】
【０００１】
本発明は、釣り人等に着用されるフットウエアに関する。詳細には、本発明は、中割れタイプのソックスを有するフットウエアに関する。
【背景技術】
【０００２】
鮎釣りでは、釣り人は体が水につかった状態で釣りを行う。釣り人は、体や衣服が濡れることを防ぐ目的で、ウェーダーを着用する。鮎釣りは、流れが速い川で行われることが多い。このような状況において人体が受ける水圧を抑制する目的で、鮎釣りでは、体にフィットするウェーダーが好んで用いられている。このウェーダーには、ポリクロロプレンを基材とする発泡体が用いられている。この発泡体が用いられたウェーダーが、株式会社シマノ発行の「２００７  Ｆｉｓｈｉｎｇ  Ｔａｃｋｌｅ  Ｃａｔａｌｏｇｕｅ」の第２２９頁に記載されている。
【０００３】
トラウザーとタビとが一体とされたウェーダーが存在する。一方、タビを有さないウェーダーも存在する。タビを有さないウェーダーでは、トラウザーとソックスとが一体とされている。タビを有さないウェーダーを着用する場合、釣り人は、ソックスの上にタビ（「鮎タビ」と称されている）を着用する。
【０００４】
一般的な鮎タビは、親指と人差し指との間に位置するセパレーターを有している。このセパレーターは、川底での足の踏ん張りに寄与する。セパレーターを備えた鮎タビは、中割れタイプと称されている。中割れタイプの鮎タビが着用される場合、ウェーダーのソックスも中割れタイプである必要がある。中割れタイプのソックスは、親指が収容される親指部と、親指以外の４本の指が収容される四指部と、親指部と四指部との間に位置する股割部とを備えている。
【０００５】
ウェーダーは、大型で厚みが小さくかつ発泡体からなるので、このウェーダーを金型で一体成形することは困難である。通常は、複数の発泡シートが接合されることで、ウェーダーが得られる。発泡シートの端面は、他の発泡シートの端面と突き合わされる。この突き合わせ部において、接着剤により、両発泡シートが接合される。この接合により、ウェーダーの水密が達成される。
【０００６】
突き合わせ部において発泡シートが他の発泡シートと剥離すると、水密が損なわれる。剥離防止の観点から、突き合わせ部が補強される。補強は、図８に示される補強ゴム２によってなされている。この補強ゴム２は、両方の発泡シート４に跨って存在している。この補強ゴム２は、突き合わせ部６にゴムラテックスが塗布され、かつゴムが架橋されることで、形成されている。
【先行技術文献】
【非特許文献】
【０００７】
【非特許文献１】株式会社シマノ発行の「２００７  Ｆｉｓｈｉｎｇ  Ｔａｃｋｌｅ  Ｃａｔａｌｏｇｕｅ」
【発明の概要】
【発明が解決しようとする課題】
【０００８】
ラテックスから得られた補強ゴム２の厚みは、大きい。しかも、この厚みは不均一である。釣り人がこのウェーダー８を着用し、さらに鮎タビを着用すると、補強ゴム２の直下において、この補強ゴム２が釣り人の足を圧迫する。釣り人は、足に痛みを感じる。特に、股割部に突き合わせ部６が存在するウェーダーでは、補強ゴム２が指を圧迫するので、釣り人が強い痛みを感じる。
【０００９】
本発明の目的は、釣り人が足に痛みを感じにくい釣り用フットウエアの提供にある。
【課題を解決するための手段】
【００１０】
本発明に係る釣り用フットウエアは、ソックスを備える。このソックスは、発泡シートを含む複数の生地と、ポリウレタンからなる補強テープとを有する。発泡シートの端面が他の発泡シートの端面と突き合わされることで、突き合わせ部が形成されている。この突き合わせ部において、接着剤により、発泡シート同士が接合されている。補強テープは、突き合わせ部を跨いで発泡シートに積層されている。
【００１１】
ソックスが、親指部と、四指部と、親指部と四指部との間に位置する股割部とを備えてもよい。この股割部に突き合わせ部が存在するフットウエアにおいて、本発明は顕著な効果を奏する
【発明の効果】
【００１２】
本発明に係るフットウエアでは、発泡シートが他の発泡シートと剥離することが、補強テープによって防止されうる。この補強テープはポリウレタンからなるので、軟質である。この補強テープの厚みは、均一である。この補強テープは、釣り人に強い痛みを感じさせない。
【図面の簡単な説明】
【００１３】
【図１】図１は、本発明の一実施形態に係る釣り用フットウエアとしてのウェーダーが示された斜視図である。
【図２】図２は、図１のウェーダーの左ソックスが示された側面図である。
【図３】図３は、図２の左ソックスが示された背面図である。
【図４】図４は、図３のIV−IV線に沿った拡大断面図である。
【図５】図５は、図２のＶ−Ｖ線に沿った拡大断面図である。
【図６】図５は、図３のVI−VI線に沿った拡大断面図である。
【図７】図７は、図２の左ソックスの突き合わせ部が示された拡大断面図である。
【図８】図８は、従来のウェーダーの一部が示された断面図である。
【発明を実施するための形態】
【００１４】
以下、適宜図面が参照されつつ、好ましい実施形態に基づいて本発明が詳細に説明される。
【００１５】
図１に示されたウェーダー１０は、ボディ１２、左脚１４、右脚１６、左ソックス１８及び右ソックス２０を備えている。左脚１４及び右脚１６は、それぞれ、ボディ１２に接合されている。左ソックス１８は、左脚１４に接合されている。右ソックス２０は、右脚１６に接合されている。
【００１６】
図２から７には、左ソックス１８が示されている。詳細な図示は省略されているが、右ソックス２０は、左ソックス１８の形状が反転した形状を有する。図１及び５に示されるように、左ソックス１８は、親指部２２及び四指部２４を備えている。親指部２２には、人体の足の親指が収容される。四指部２４には、人体の足の人差し指、中指、薬指及び小指が収容される。図５に示されるように、左ソックス１８は股割部２６を備えている。股割部２６は、親指部２２と四指部２４との間に位置している。このウェーダー１０を着用した釣り人が、さらに鮎タビを着用すると、この鮎タビのセパレーターが股割部２６に位置する。
【００１７】
図２から６に示されるように、この左ソックス１８は、３枚の生地２８を有している。具体的には、左ソックス１８は、アウトサイド生地２８ｏ、インサイド生地２８ｉ及びソール生地２８ｓを有している。
【００１８】
図４及び５において、上側はトウサイドであり、下側はヒールサイドである。トウサイドにおいて、アウトサイド生地２８ｏの端面は、インサイド生地２８ｉの端面と突き合わされている。突き合わせにより、トウサイド突き合わせ部３０ｔが形成されている。ヒールサイドにおいても、アウトサイド生地２８ｏの端面は、インサイド生地２８ｉの端面と突き合わされている。突き合わせにより、ヒールサイド突き合わせ部３０ｈが形成されている。アウトサイド生地２８ｏとインサイド生地２８ｉとが突き合わされることで、アッパー３２が形成されている。
【００１９】
図６に示されるように、アッパー３２（すなわちアウトサイド生地２８ｏ及びインサイド生地２８ｉ）の端面は、ソール生地２８ｓの端面と突き合わされている。突き合わせにより、ソール突き合わせ部３０ｓが形成されている。
【００２０】
左ソックス１８は、３枚の補強テープ３４を備えている。具体的には、左ソックス１８は、トウサイド補強テープ３４ｔ、ヒールサイド補強テープ３４ｈ及びソール補強テープ３４ｓを備えてる。
【００２１】
図４及び５に示されるように、トウサイド補強テープ３４ｔは、トウサイド突き合わせ部３０ｔを跨いでいる。トウサイド補強テープ３４ｔは、アウトサイド生地２８ｏの外面及びインサイド生地２８ｉの外面と積層されている。
【００２２】
図４及び５に示されるように、ヒールサイド補強テープ３４ｈは、ヒールサイド突き合わせ部３０ｈを跨いでいる。ヒールサイド補強テープ３４ｈは、アウトサイド生地２８ｏの外面及びインサイド生地２８ｉの外面と積層されている。
【００２３】
図６に示されるように、ソール補強テープ３４ｓは、ソール突き合わせ部３０ｓを跨いでいる。ソール補強テープ３４ｓは、アッパー３２（すなわちアウトサイド生地２８ｏ及びインサイド生地２８ｉ）の外面及びソール生地２８ｓの外面と積層されている。
【００２４】
左ソックス１８は、３枚のシームテープ３６を備えている。具体的には、左ソックス１８は、トウサイドシームテープ３６ｔ、ヒールサイドシームテープ３６ｈ及びソールシームテープ３６ｓを備えてる。
【００２５】
図４及び５に示されるように、トウサイドシームテープ３６ｔは、トウサイド突き合わせ部３０ｔを跨いでいる。トウサイドシームテープ３６ｔは、アウトサイド生地２８ｏの内面及びインサイド生地２８ｉの内面と積層されている。
【００２６】
図４及び５に示されるように、ヒールサイドシームテープ３６ｈは、ヒールサイド突き合わせ部３０ｈを跨いでいる。ヒールサイドシームテープ３６ｈは、アウトサイド生地２８ｏの内面及びインサイド生地２８ｉの内面と積層されている。
【００２７】
図６に示されるように、ソールシームテープ３６ｓは、ソール突き合わせ部３０ｓを跨いでいる。ソールシームテープ３６ｓは、アッパー３２（すなわちアウトサイド生地２８ｏ及びインサイド生地２８ｉ）の内面及びソール生地２８ｓの内面と積層されている。
【００２８】
図７には、突き合わせ部３０の拡大断面図が示されている。この図７には、２枚の生地２８が示されている。図４から６では図示が省略されているが、それぞれの生地２８は、発泡シート３８と、この発泡シート３８の外面に積層された表ジャージー層４０と、この発泡シート３８の内面に積層された裏ジャージー層４２とからなる。一方の発泡シート３８の端面と、他方の発泡シート３８の端面とは、突き合わされている。一方の発泡シート３８の端面と、他方の発泡シート３８の端面とは、接着剤で接合されている。この接合により、突き合わせ部３０の水密が達成されている。
【００２９】
発泡シート３８は、多数の気泡を含むポリマー成形体である。様々な合成ゴム及び様々な合成樹脂が、発泡シート３８の基材ポリマーとして用いられうる。発泡シート３８に特に適したポリマーは、ポリクロロプレンである。ポリクロロプレンが用いられた発泡シート３８は、耐候性に優れる。
【００３０】
発泡シート３８の気泡は、独立気泡である。従ってこの発泡シート３８は、非透水性である。気泡は、熱分解型発泡剤の発泡によって形成されうる。用いられる熱分解型発泡剤としては、アゾ化合物、ニトロソ化合物及びトリアゾール化合物が例示される。気泡により、生地２８の柔軟性、伸縮性、保温性及び軽量が達成されうる。発泡シート３８を含む生地２８が用いられたウェーダー１０は、履き心地に優れる。
【００３１】
図７において矢印Ｔ１で示されているのは、発泡シート３８の厚みである。保温性及び強度の観点から、厚みＴ１は１．５ｍｍ以上が好ましく、２．０ｍｍ以上がより好ましい。履き心地の観点から、この厚みＴ１は４．５ｍｍ以下が好ましく、４．０ｍｍ以下が特に好ましい。
【００３２】
柔軟性、伸縮性、保温性及び軽量の観点から、発泡シート３８の発泡倍率は３以上が好ましく、５以上が特に好ましい。強度の観点から、発泡倍率は３０以下が好ましく、２０以下が特に好ましい。
【００３３】
表ジャージー層４０及び裏ジャージー層４２は、伸縮性である。典型的には、表ジャージー層４０及び裏ジャージー層４２は、それぞれ、ナイロン糸からなる。発泡シート３８の内面を表ジャージー層４０が覆うことにより、ソックス１８、２０と着用者の足との摩擦係数が低減される。足と左ソックス１８、２０との滑りがよいので、このウェーダー１０は履きやすく、かつ脱ぎやすい。表ジャージー層４０により、ぬくもり感も発揮される。表ジャージー層４０及び裏ジャージー層４２の厚みは、０．１ｍｍ以上１．０ｍｍ以下が好ましい。
【００３４】
図７には、補強テープ３４が示されている。補強テープ３４は、ポリウレタンを基材とするポリマー組成物からなる。図４から６では図示が省略されているが、それぞれの補強テープ３４は、接着剤層４４によって生地２８に接合されている。好ましくは、接着剤層４４は、熱可塑性ポリウレタンを基材とする組成物からなる。好ましくは、接着剤層４４の接着剤は、熱融着タイプである。
【００３５】
前述の通り、補強テープ３４は突き合わせ部３０を跨いでいる。補強テープ３４は、一方の生地２８に接合され、かつ、他方の生地２８にも接合されている。一方の生地２８が他方の生地２８に対して引っ張られたとき、引張り応力は、突き合わせ部３０のみならず、補強テープ３４にもかかる。補強テープ３４により、突き合わせ部３０にかかる引張り応力が緩和される。補強テープ３４により、一方の生地２８の、他方の生地２８からの剥離が抑制される。
【００３６】
図７において矢印Ｔ２で示されているのは、補強テープ３４の厚みである。この厚みＴ２は、ラテックスから得られる補強ゴム（図８参照）の厚みよりも小さい。補強テープ３４の厚みは、補強ゴムの厚み比べて均一である。局部的な、極めて厚みが大きい箇所は、補強テープ３４には存在しない。従って、このウェーダー１０を着用した釣り人がさらに鮎タビを着用しても、足が強く圧迫されない。釣り人は、足に強い痛みを感じない。このウェーダー１０は、履き心地に優れる。特に、股割部２６に突き合わせ部３０が存在するウェーダー１０において、補強テープ３４は、指の痛みを低減する。さらに、補強テープ３４の生地２８への積層は、補強ゴムの形成よりも容易である。
【００３７】
突き合わせ部３０の剥離防止の観点から、厚みＴ２は０．１ｍｍ以上が好ましく、０．３ｍｍ以上が特に好ましい。着用感の観点から、厚みＴ２は２．０ｍｍ以下が好ましく、１．５ｍｍ以下が特に好ましい。
【００３８】
前述の通り、補強テープ３４の基材はポリウレタンである。ポリウレタンは、概して柔軟である。この補強テープ３４により、足の痛みが軽減される。この観点から、補強テープ３４を構成する組成物のショアＡ硬度は９０以下が好ましく、８０以下が特に好ましい。強度の観点から、この組成物のショアＡ硬度は３０以上が好ましく、４０以上が特に好ましい。この硬度は、補強テープ３４の組成物と同成分の組成物からなるスラブにおいて測定される。スラブの厚みは、２ｍｍである。３枚のスラブが重ねられた状態で、最も上に位置するスラブの上面に硬度計が押しつけられる。
【００３９】
図７において矢印Ｗで示されているのは、補強テープ３４の幅である。強度の観点から、幅Ｗは２ｍｍ以上が好ましく、３ｍｍ以上が特に好ましい。着用感の観点から、幅Ｗは３０ｍｍ以下が好ましく、２０ｍｍ以下が特に好ましい。
【００４０】
図７には、シームテープ３６が示されている。典型的には、シームテープ３６は、ナイロンジャージーからなる。好ましくは、シームテープ３６は、裏ジャージー層４２のナイロン糸と同等のナイロン糸からなる。図４から６では図示が省略されているが、それぞれのシームテープ３６は、接着剤層４６によって生地２８に接合されている。好ましくは、接着剤層４６は、熱可塑性ポリウレタンを基材とする組成物からなる。好ましくは、接着剤層４６の接着剤は、熱融着タイプである。
【００４１】
前述の通り、シームテープ３６は突き合わせ部３０を跨いでいる。シームテープ３６は、一方の生地２８に接合され、かつ、他方の生地２８にも接合されている。一方の裏ジャージー層４２と他方の裏ジャージー層４２との間に段差がある場合でも、シームテープ３６がこの段差を解消する。シームテープ３６は、ウェーダー１０の履き心地に寄与する。履き心地と強度との観点から、シームテープ３６の厚みＴ３は０．１ｍｍ以上１．０ｍｍ以下が好ましい。
【産業上の利用可能性】
【００４２】
本発明に係る釣り用フットウエアには、ウェーダーのみならず、ソックス、ソックス付きブーツ等が含まれる。
【符号の説明】
【００４３】
１０・・・ウェーダー
１２・・・ボディ
１４・・・左脚
１６・・・右脚
１８・・・左ソックス
２０・・・右ソックス
２２・・・親指部
２４・・・四指部
２６・・・股割部
２８・・・生地
２８ｏ・・・アウトサイド生地
２８ｉ・・・インサイド生地
２８ｓ・・・ソール生地
３０・・・突き合わせ部
３０ｔ・・・トウサイド突き合わせ部
３０ｈ・・・ヒールサイド突き合わせ部
３０ｓ・・・ソール突き合わせ部
３２・・・アッパー
３４・・・補強テープ
３４ｔ・・・トウサイド補強テープ
３４ｈ・・・ヒールサイド補強テープ
３４ｓ・・・ソール補強テープ
３６・・・シームテープ
３６ｔ・・・トウサイドシームテープ
３０ｈ・・・ヒールサイドシームテープ
３０ｓ・・・ソールシームテープ
３８・・・発泡シート
４０・・・表ジャージー層
４２・・・裏ジャージー層
【図１】
2011087546.tif 000003
【図２】
2011087546.tif 000004
【図３】
2011087546.tif 000005
【図４】
2011087546.tif 000006
【図５】
2011087546.tif 000007
【図６】
2011087546.tif 000008
【図７】
2011087546.tif 000009
【図８】
2011087546.tif 000010